(57)【特許請求の範囲】
【請求項１】
造営材に支持される器具本体と、
前記器具本体の中央部に設けられた器具取付部を迂回するような平面形状に形成され、前記器具本体に支持される回路基板と、を備え、
前記回路基板は、
前記回路基板における前記器具本体とは反対側の表面において、前記器具取付部に対して近い領域に電源部としての電子部品が多数実装された電源領域と、
前記回路基板における前記表面において、前記器具取付部に対して遠い領域に発光部としての多数のＬＥＤチップが実装され、前記電源部により前記各ＬＥＤチップが発光する発光領域と、
前記電源領域を覆う電源領域カバーと、
前記発光領域を覆う透光性カバーと、を備え、
前記電源領域カバーは、前記透光性カバー側に設けられた電源領域カバー鍔部を有し、
前記透光性カバーは、前記電源領域カバー側に設けられた透光性カバー鍔部を有し、
前記電源領域カバー鍔部および前記透光性カバー鍔部は、互いに重なり合っている照明器具。
【請求項２】
請求項１に記載の照明器具において、
前記透光性カバー鍔部は、前記回路基板の前記表面と、前記電源領域カバー鍔部とに挟まれている照明器具。
【請求項３】
請求項２に記載の照明器具において、
前記透光性カバー鍔部は、前記回路基板とは反対側に突出する立上部を有する照明器具。
【発明の詳細な説明】
【技術分野】
【０００１】
本発明は、造営材に器具本体が取り付けられ、器具本体に多数の電子部品や多数のＬＥＤチップが設けられた照明器具に関する。
【背景技術】
【０００２】
照明器具のなかには、発光基板が器具本体に取り付けられ、発光基板が透過性を有するカバーで覆われ、カバーの内側に電源基板が配置され、電源基板および発光基板がハーネスで接続されるものが知られている。
発光基板には発光部としての多数のＬＥＤ（Light-emitting Diode）チップが実装され、電源基板には電源部としての多数の電子部品が実装されている。多数の電子部品および電源基板は不燃性を確保するため金属カバーで覆われている（特許文献１）。
【先行技術文献】
【特許文献】
【０００３】
【特許文献１】特開２０１２−１４６６６６号公報
【発明の概要】
【発明が解決しようとする課題】
【０００４】
しかし、特許文献１の照明器具は、各電子部品および各ＬＥＤチップを実装するために電源基板および発光基板の二つの基板を個別に必要とし、さらに、電源基板および発光基板を接続するためにハーネスを必要とする。このため、部品点数が多くなり、加えて、ハーネスの接続工程が必要になるため組立が煩雑になる。
さらに、多数の電子部品および電源基板が金属カバーで覆われているために、金属カバーを電源基板の回路パターンより径方向外側に離して金属カバーの接触を防ぐ必要があり、照明器具の器具径が大きくなってしまう。
【０００５】
本発明は、前述した課題を解決するためになされたものであり、その目的は、部品点数を削減し、組立を容易にし、かつ、器具径を小さく抑えることができる照明器具を提供することにある。
【課題を解決するための手段】
【０００６】
本発明の照明器具は、造営材に支持される器具本体と、前記器具本体の中央部に設けられた器具取付部を迂回するような平面形状に形成され、前記器具本体に支持される回路基板と、を備え、前記回路基板は、前記回路基板における前記器具本体とは反対側の表面において、前記器具取付部に対して近い領域に電源部としての電子部品が多数実装された電源領域と、前記回路基板における前記表面において、前記器具取付部に対して遠い領域に発光部としての多数のＬＥＤチップが実装され、前記電源部により前記各ＬＥＤチップが発光する発光領域と、前記電源領域を覆う電源領域カバーと、前記発光領域を覆う透光性カバーと、を備え、前記電源領域カバーは、前記透光性カバー側に設けられた電源領域カバー鍔部を有し、前記透光性カバーは、前記電源領域カバー側に設けられた透光性カバー鍔部を有し、前記電源領域カバー鍔部および前記透光性カバー鍔部は、互いに重なり合っている。
【発明の効果】
【０００７】
本発明の照明器具によれば、部品点数を削減し、組立を容易にし、かつ、器具径を小さく抑えることができる照明器具を提供できる。
【図面の簡単な説明】
【０００８】
【図１】本発明に係る照明器具を下方から見た状態を示す分解斜視図
【図２】図１の照明器具を上方から見た状態を示す分解斜視図
【図３】図１の照明器具を組み付けた状態を示す断面図
【図４】図３のＩ部拡大図
【発明を実施するための形態】
【０００９】
以下、実施形態に係る照明器具について図面を参照して説明する。
（実施形態）
図１、図２に示すように、照明器具１０は、造営材としての天井１１に取り付けられる器具本体１４と、器具本体１４の中央部に設けられた器具取付部１４Ａを迂回するように器具本体１４に支持される回路基板１６とを備えている。
天井１１には天井側取付部材１２が取り付けられている。器具取付部１４Ａの内部には照明器具側取付部材１５が取り付いて収納される。天井側取付部材１２に照明器具側取付部材１５が取り付けられることにより、照明器具１０が天井１１に固定される。
天井１１に器具本体１４が取り付けられた状態では、天井１１および器具本体１４間に介在するクッション１３（図３、図４も参照）によりぐらつき等は生じない。
【００１０】
さらに、照明器具１０は、回路基板１６の電源領域１７を覆う電源領域カバー１９と、回路基板１６の発光領域１８を覆うように取り付けられた透光性カバー２３と、器具本体１４に取り付けられるグローブ２５とを備えている。
グローブ２５は、乳白色の透光性部材であり、器具本体１４のグローブ取付部材２６に係合突起２５Ａ（６個のうちの３個を使用）で下方から着脱自在に取り付けられる。この状態において、器具本体１４、回路基板１６、電源領域カバー１９や透光性カバー２３がグローブ２５で覆われる。
【００１１】
器具本体１４は、平面視において円板状に形成され、器具取付部１４Ａに設けられた照明器具側取付部材１５の周囲に、回路基板１６側へ膨出する接触面２１（図１も参照）が環状に形成されている。
なお、実施形態では、平面視において円板状の器具本体１４を造営材としての天井１１に直接取り付ける例について説明するが、これに限定するものではなく、平面視において角形状の器具本体を用いる場合や、天井側取付部材１２に係合部材を係合させるとともに、この係合部材を介して電線により器具本体１４を吊り下げる場合、あるいはチェーンやワイヤ等を用いて天井１１から器具本体１４を吊り下げる場合にも適用可能である。
【００１２】
天井側取付部材１２は、天井１１の裏側において電線と結線されている。照明器具側取付部材１５は、コネクタ付の配線（図示せず）が器具本体１４の下方に引き出されている。
従って、天井側取付部材１２に照明器具側取付部材１５を接続し、照明器具側取付部材１５の配線のコネクタを回路基板１６に設けられたコネクタ２８（図３参照）にコネクタ接続することにより、天井１１の裏側において電線と回路基板１６とが電気的に接続される。
なお、天井側取付部材１２および照明器具側取付部材１５は、図３、図４において省略している。
照明器具側取付部材１５を迂回するような平面形状に回路基板１６が形成され、この回路基板１６が器具本体１４の接触面２１に下方から接触されている。
【００１３】
図１に示すように、回路基板１６は、器具本体１４の器具取付部１４Ａに対応する中空部２９が開口され、略ドーナツ形状に形成されている。この回路基板１６は、器具本体１４側が裏面１６Ａ、器具本体１４とは反対側が表面１６Ｂとなっている。
表面１６Ｂに電源領域１７および発光領域１８が設けられている。裏面１６Ａには、発光領域１８に対応する発光領域裏面１６Ｃとなっている。
【００１４】
回路基板１６の表面１６Ｂには、器具取付部１４Ａ側に電源領域１７が設けられ、電源領域１７の外側に発光領域１８が設けられている。電源領域１７が器具本体１４の器具取付部１４Ａに対して近い領域に環状に形成され、発光領域１８が器具本体１４の器具取付部１４Ａに対して遠い領域に環状に形成されている。
よって、電源領域１７および発光領域１８を回路パターンで接続できるので、従来技術のように、電源領域１７および発光領域１８をハーネスで接続する必要がなく、部品点数を削減できる。
【００１５】
電源領域１７が器具本体１４の器具取付部１４Ａ側に形成され、発光領域１８が器具本体１４の器具取付部１４Ａから離れて形成されることにより、電源領域１７および発光領域１８が互いに上下方向において重なり合わないように配置されている。
電源領域１７に電源部３３としての電子部品３４（コネクタ２８も含む）が多数実装されている。電源領域１７に各電子部品３４が実装されることにより、各電子部品３４のリード突起３５が回路基板１６の裏面１６Ａ側に突出されている。
【００１６】
また、発光領域１８に発光部３６としての多数のＬＥＤチップ３７が実装されている。電源部３３が回路パターン３８で各ＬＥＤチップ３７に接続され、電源部３３から供給される電力により各ＬＥＤチップ３７が発光する。
【００１７】
このように、電源部３３および発光部３６が互いに重なり合わないように単一の回路基板１６に実装されている。よって、従来必要とされていた電源部３３および発光部３６用の二つの回路基板を、単一の回路基板１６にまとめることができる。
これにより、部品点数を少数にでき、かつ、電源部３３および発光部３６の接続作業を不要にして組立を容易にできる。
【００１８】
また、図４に示すように、回路基板１６の裏面１６Ａのうち、発光領域裏面１６Ｃに器具本体１４の接触面２１が接触されている。よって、接触面２１は、発光領域裏面１６Ｃのうち、各ＬＥＤチップ３７を接続する発光部３６の回路パターンに対応する部位に接触されている。
これにより、回路基板１６の熱を接触面２１に効率よく放熱させることができる。
【００１９】
さらに、回路基板１６の発光領域１８が、絶縁性を備えた樹脂製の透光性カバー２３で覆われている。透光性カバー２３は、回路基板１６の表面１６Ｂに接触する透光性カバー外鍔部５１および透光性カバー内鍔部（透光性カバー鍔部）５２と、透光性カバー外鍔部５１および透光性カバー内鍔部５２に支持されるドーム部５３と、透光性カバー内鍔部５２の内周縁５２Ａに設けられた立上部５４とを有する。
【００２０】
ドーム部５３は、透光性カバー外鍔部５１および透光性カバー内鍔部５２に支持されて各ＬＥＤチップ３７に対して一括して非接触で覆うようにドーム状に形成されている。
透光性カバー内鍔部５２は、ドーム部５３の内周縁５３Ａから電源領域１７（すなわち、電源領域カバー１９）に向けて張り出され、回路基板１６の表面１６Ｂに接触されている。
立上部５４は、透光性カバー内鍔部５２の内周縁５２Ａから回路基板１６とは反対側に向けて突出されている。
【００２１】
また、回路基板１６の電源領域１７が、不燃性を確保するために金属製の電源領域カバー１９で下方から覆われている。
電源領域カバー１９は、電源領域カバー１９の上開口部から半径方向外側に張り出された電源領域カバー鍔部４３と、電源領域カバー鍔部４３の内周から下方に延ばされて側壁を形成する傾斜面４４と、傾斜面４４の下端部を閉塞するカバー底部４５とを有する。
【００２２】
電源領域カバー鍔部４３は、平面視において環状に形成されている。傾斜面４４は立上部５４に沿って、立上部５４に接触可能に延ばされている。
カバー底部４５および器具本体１４間にはカラー４７が配置されている。カラー４７は器具本体１４の器具取付部１４Ａの外側に配置され、円筒状に形成されている。
【００２３】
電源領域カバー鍔部４３は、電源領域カバー１９の上開口部から半径方向外側に張り出されることにより透光性カバー２３の透光性カバー内鍔部５２側に設けられている。
透光性カバー内鍔部５２が回路基板１６の表面１６Ｂに接触され、透光性カバー内鍔部５２に電源領域カバー鍔部４３が下方から重ね合わされている。
すなわち、絶縁性の透光性カバー内鍔部５２が表面１６Ｂと電源領域カバー鍔部４３とに挟まれている。
【００２４】
よって、電源領域カバー鍔部４３が表面１６Ｂの回路パターンに対して絶縁状態に保たれている。これにより、従来技術のように、電源領域カバー鍔部４３を表面１６Ｂの回路パターンから離すために、表面１６Ｂの回路パターンに対して電源領域カバー鍔部４３を径方向に離す必要がなく、器具径を小さく抑えることができる。
【００２５】
また、透光性カバー内鍔部５２から立上部５４が回路基板１６とは反対側に向けて突出され、電源領域カバー鍔部４３の傾斜面４４に接触可能に設けられている。
よって、電源領域カバー１９を取り付ける際に、電源領域カバー１９の傾斜面４４を立上部５４に接触させることにより立上部５４で電源領域カバー１９を位置決めでき、電源領域カバー１９の組立が容易になる。
【００２６】
以上説明したように、実施形態の照明器具１０は、造営材としての天井１１に支持される器具本体１４と、器具本体１４の器具取付部１４Ａを迂回するような平面形状に形成され、器具本体１４に支持される回路基板１６とを備えている。
【００２７】
回路基板１６は、回路基板１６における器具本体１４とは反対側の表面１６Ｂにおいて、器具本体１４の器具取付部１４Ａに対して近い領域に電源部３３としての電子部品３４が多数実装された電源領域１７と、回路基板１６における表面１６Ｂにおいて、器具本体１４の器具取付部１４Ａに対して遠い領域に発光部３６としての多数のＬＥＤチップ３７が実装され、電源部３３により各ＬＥＤチップ３７が発光する発光領域１８と、電源領域１７を覆う電源領域カバー１９と、発光領域１８を覆う透光性カバー２３とを備えている。
【００２８】
さらに、電源領域カバー１９は、透光性カバー２３側に設けられた電源領域カバー鍔部４３を有し、透光性カバー２３は、電源領域カバー１９側に設けられた透光性カバー内鍔部５２を有し、電源領域カバー鍔部４３および透光性カバー内鍔部５２は、互いに重なり合っている。
【００２９】
また、好ましくは、照明器具１０は、透光性カバー内鍔部５２は、回路基板１６の表面１６Ｂと、電源領域カバー鍔部４３とにはさまれている。
さらに、好ましくは、照明器具１０は、透光性カバー内鍔部５２は、回路基板１６とは反対側に突出する立上部５４を有する。
【００３０】
なお、本発明の照明器具は、前述した実施形態に限定されるものではなく適宜変更、改良等が可能である。
例えば、前記実施形態で使用した照明器具、造営材、器具本体、回路基板、電源領域、発光領域、電源領域カバー、透光性カバー、電線、電源部、電子部品、発光部、ＬＥＤチップ、電源領域カバー鍔部、透光性カバー内鍔部および立上部等の形状や構成は例示したものに限定するものではなく適宜変更が可能である。
【符号の説明】
【００３１】
１０  照明器具
１１  造営材
１４  器具本体
１４Ａ  器具取付部
１６  回路基板
１６Ｂ  回路基板の表面
１７  電源領域
１８  発光領域
１９  電源領域カバー
２３  透光性カバー
２７  電線
３３  電源部
３４  電子部品
３６  発光部
３７  ＬＥＤチップ
４３  電源領域カバー鍔部
５２  透光性カバー内鍔部（透光性カバー鍔部）
５４  立上部
【図１】
0006344719.tif 000002
【図２】
0006344719.tif 000003
【図３】
0006344719.tif 000004
【図４】
0006344719.tif 000005